【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
３Ｄ特性パラメータを用いて３Ｄ映像又は３Ｄ画像を符号化する符号化方法であって、
３Ｄ入力データから、最小視差（Ｄｍｉｎ）と最大視差（Ｄｍａｘ）とを生成し、
複数のピクチャにわたる前記Ｄｍｉｎと前記Ｄｍａｘとの変化を分析し、
前記Ｄｍｉｎと前記Ｄｍａｘとを、１ピクチャの前記Ｄｍｉｎと前記Ｄｍａｘとが次のピクチャのそれぞれの値と異なる場合は、ビデオストリームの対応ピクチャヘッダにそれぞれ書き込み、前記Ｄｍｉｎと前記Ｄｍａｘとが前記複数のピクチャにわたり同じである場合は、ビデオストリームのシーケンスヘッダにそれぞれ書き込み、
符号化効率を改善又は計算量を減らすために、前記Ｄｍｉｎと前記Ｄｍａｘとを用いて各ピクチャ又はシーケンスを符号化し、
前記Ｄｍｉｎと前記Ｄｍａｘと共に、前記符号化ピクチャ又は前記符号化シーケンスをビデオストリームに書き込む
符号化方法。
【請求項２】
３Ｄ特性パラメータを用いて３Ｄ映像又は３Ｄ画像を符号化する符号化方法であって、
撮影中に、３Ｄコンテンツに対する任意の方法で最小視差（Ｄｍｉｎ）と最大視差（Ｄｍａｘ）とその他の３Ｄ特性とを取得し、
前記Ｄｍｉｎ又は前記Ｄｍａｘが前記３Ｄコンテンツに付加されていない場合は、入力された前記３Ｄコンテンツから前記最小視差（Ｄｍｉｎ）と前記最大視差（Ｄｍａｘ）とを算出し、
各ピクチャにわたり前記Ｄｍｉｎと前記Ｄｍａｘとが同じかどうかを確認し、
確認結果が真であれば、伝送及び格納するために、ビデオストリームのシーケンスヘッダに前記Ｄｍｉｎと前記Ｄｍａｘと前記その他の３Ｄ特性とを書き込み、
確認結果が偽であれば、伝送及び格納するために、ビデオストリームのピクチャヘッダ、又は、ＭＰＯ（Ｍｕｌｔｉｐｌｅ  Ｐｉｃｔｕｒｅ  Ｏｒｇａｎｉｚａｔｉｏｎ）というカメラフォーマットなどの静止画のヘッダに前記Ｄｍｉｎと前記Ｄｍａｘと前記その他の３Ｄ特性とを書き込む
符号化方法。
【請求項３】
３Ｄ特性パラメータを用いて３Ｄ映像又は３Ｄ画像を復号する復号方法であって、
入力ビデオストリームのヘッダである付加拡張情報（ＳＥＩ：ｓｕｐｐｌｅｍｅｎｔａｒｙ  ｅｎｈａｎｃｅｍｅｎｔ  ｉｎｆｏｒｍａｔｉｏｎ）から、３Ｄ特性パラメータと最小視差（Ｄｍｉｎ）と最大視差（Ｄｍａｘ）とを読み解き、
入力ビデオストリームのシーケンスヘッダから、３Ｄ特性パラメータと最小視差（Ｄｍｉｎ）と最大視差（Ｄｍａｘ）とを読み解き、
入力ビデオストリームのピクチャヘッダから、３Ｄ特性パラメータと最小視差（Ｄｍｉｎ）と最大視差（Ｄｍａｘ）とを読み解き、
読み解いた前記Ｄｍｉｎと前記Ｄｍａｘと前記３Ｄ特性パラメータとを用いて、符号化視差ビューと符号化奥行き画像とを復号し、
レンダリング及び表示するための対応視聴条件下において、読み解いた前記Ｄｍｉｎと前記Ｄｍａｘと前記３Ｄ特性パラメータとを用いて、復号された視差ビューと奥行き画像とから３Ｄピクチャを作成する
復号方法。
【請求項４】
符号化３Ｄストリームを抽出及びレンダリングして端末での人体への影響が小さい立体視を実現する抽出及びレンダリング方法であって、
任意の装置で視聴者の顔を検出してから距離を測定するなど任意の方法で、視聴者からディスプレイまでの距離である視距離を取得し、
ＴＶのパラメータ設定からのユーザ選択又は自動的に、画像解像度とディスプレイサイ
ズと眼間距離とを取得し、
入力３Ｄコンテンツストリーム又は入力３Ｄメディアファイルから最小視差（Ｄｍｉｎ）と最大視差（Ｄｍａｘ）とを抽出し、
前記最大視差に関連する許容３Ｄ飛び出し量を算出し、
最大視差と最小視差との差に関連する許容３Ｄ量を算出し、
抽出された前記Ｄｍａｘ及び（Ｄｍａｘ−Ｄｍｉｎ）がそれぞれ前記許容３Ｄ飛び出し量及び前記３Ｄ量より大きいかどうかを確認し、
前記確認が真であれば、ユーザインターフェースを介して飛び出し量（Ｄｍａｘ）度合いを調整、３Ｄ量（Ｄｍａｘ−Ｄｍｉｎ）を調整するようユーザにリマインドし、
前記確認が偽であれば、調整せずに３Ｄコンテンツをそのまま３Ｄディスプレイに映し出す
抽出及びレンダリング方法。
【請求項５】
符号化３Ｄストリームを抽出及びレンダリングして端末での人体への影響が小さい立体視を実現する抽出及びレンダリング方法であって、
任意の装置で視聴者の顔を検出してから距離を測定するなど任意の方法で、視聴者からディスプレイまでの距離である視距離を取得し、
ＴＶのパラメータ設定からのユーザ選択又は自動的に、画像解像度とディスプレイサイズと眼間距離とを取得し、
入力３Ｄコンテンツストリーム又は入力３Ｄメディアファイルから最小視差（Ｄｍｉｎ）と最大視差（Ｄｍａｘ）とを抽出し、
前記最大視差に関連する許容３Ｄ飛び出し量を算出し、
前記最大視差と前記最小視差との差に関連する許容３Ｄ量を算出し、
抽出された前記Ｄｍａｘ及び（Ｄｍａｘ−Ｄｍｉｎ）がそれぞれ前記許容３Ｄ飛び出し量及び前記３Ｄ量より大きいかどうかを確認し、
前記確認が真であれば、新たなＤｍａｘと新たな（Ｄｍａｘ−Ｄｍｉｎ）とが前記許容範囲内になるように前記３Ｄコンテンツを調整し、
前記確認が偽であれば、調整せずに３Ｄコンテンツをそのまま３Ｄディスプレイに映し出す
抽出及びレンダリング方法。
【請求項６】
３Ｄコンテンツを符号化及び復号して人体への影響が小さい立体視を実現する符号化及び復号方法であって、
３Ｄ入力データから最小視差（Ｄｍｉｎ）と最大視差（Ｄｍａｘ）とを算出し、
符号化ビデオストリーム又は符号化画像ファイルに前記Ｄｍｉｎと前記Ｄｍａｘとを埋め込み、
前記符号化ビデオストリーム又は前記符号化画像ファイルをストレージに格納、又は、前記符号化ビデオストリーム又は前記符号化画像ファイルを送出し、
任意の装置で視聴者の顔を検出してから距離を測定するなど任意の方法で、視聴者からディスプレイまでの距離である視距離を取得し、
ＴＶのパラメータ設定からのユーザ選択又は自動的に、画像解像度とディスプレイサイズと眼間距離とを取得し、
入力３Ｄコンテンツストリーム又は入力３Ｄメディアファイルから最小視差（Ｄｍｉｎ）と最大視差（Ｄｍａｘ）とを抽出し、
前記最大視差に関連する許容３Ｄ飛び出し量を算出し、
前記最大視差と前記最小視差との差に関連する許容３Ｄ量を算出し、
抽出された前記Ｄｍａｘ及び（Ｄｍａｘ−Ｄｍｉｎ）がそれぞれ前記許容３Ｄ飛び出し量及び前記３Ｄ量より大きいかどうかを確認し、
前記確認が真であれば、ユーザインターフェースを介して飛び出し量（Ｄｍａｘ）度合いを調整し、３Ｄ量（Ｄｍａｘ−Ｄｍｉｎ）を調整するようユーザにリマインドし、
前記確認が偽であれば、調整せずに３Ｄコンテンツをそのまま３Ｄディスプレイに映し出す
符号化及び復号方法。
【請求項７】
３Ｄコンテンツを符号化及び復号して人体への影響が小さい立体視を実現する符号化及び復号方法であって、
３Ｄ入力データから最小視差（Ｄｍｉｎ）と最大視差（Ｄｍａｘ）とを算出し、
符号化ビデオストリーム又は符号化画像ファイルに前記Ｄｍｉｎと前記Ｄｍａｘとを埋め込み、
前記符号化ビデオストリーム又は前記符号化画像ファイルをストレージに格納、又は、前記符号化ビデオストリーム又は前記符号化画像ファイルを送出し、
任意の装置で視聴者の顔を検出してから距離を測定するなど任意の方法で、視聴者からディスプレイまでの距離である視距離を取得し、
ＴＶのパラメータ設定からのユーザ選択又は自動的に、画像解像度とディスプレイサイズと眼間距離とを取得し、
入力３Ｄコンテンツストリーム又は入力３Ｄメディアファイルから最小視差（Ｄｍｉｎ）と最大視差（Ｄｍａｘ）とを抽出し、
前記最大視差に関連する許容３Ｄ飛び出し量を算出し、
前記最大視差と前記最小視差との差に関連する許容３Ｄ量を算出し、
抽出された前記Ｄｍａｘ及び（Ｄｍａｘ−Ｄｍｉｎ）がそれぞれ前記許容３Ｄ飛び出し量及び前記３Ｄ量より大きいかどうかを確認し、
前記確認が真であれば、新たなＤｍａｘと新たな（Ｄｍａｘ−Ｄｍｉｎ）とが前記許容範囲内になるように前記３Ｄコンテンツを調整し、
前記確認が偽であれば、調整せずに３Ｄコンテンツをそのまま３Ｄディスプレイに映し出す
符号化及び復号方法。
【請求項８】
３Ｄフォトスライドショーをアンパッキングして整える方法であって、
任意の装置で視聴者の顔を検出してから距離を測定するなど任意の方法で、視聴者からディスプレイまでの距離である視距離を取得し、
ＴＶのパラメータ設定からのユーザ選択又は自動的に、画像解像度とディスプレイサイズと眼間距離とを取得し、
前記最大視差に関連する許容３Ｄ飛び出し量を算出し、
前記最大視差と前記最小視差との差に関連する許容３Ｄ量を算出し、
ＭＰＯ（Ｍｕｌｔｉｐｌｅ  Ｐｉｃｔｕｒｅ  Ｏｒｇａｎｉｚａｔｉｏｎ）パッケージフォーマットであるファイルフォーマットの複数の写真を１枚ずつ入力し、
前記３Ｄフォトファイルをアンパッキングしてから、写真ごとに、埋め込まれた、最小視差（Ｄｍｉｎ）と最大視差（Ｄｍａｘ）とを含むカメラパラメータを抽出し、
抽出された前記ＤｍｉｎとＤｍａｘとを用いて、アンパッキングされた３Ｄフォトファイルを復号してピクチャの組を生成し、
写真ごとに、抽出された前記Ｄｍｉｎと前記Ｄｍａｘとに基づき、許容最大視差と許容３Ｄ量とで管理されている許容範囲内にある一定値の（Ｄｍａｘ−Ｄｍｉｎ）と一定値のＤｍａｘとを中央値として設定し、
前記複数の３Ｄ写真をそれぞれ、それらの新たな（Ｄｍｉｎ−Ｄｍａｘ）と新たなＤｍａｘとが前記一定値の中央値と同じ又は近い値になるように調整する
方法。
【請求項９】
人体への影響が小さくかつ良好な効果のある３Ｄコンテンツを撮影する撮影方法であって、
許容最大視差（Ｄｍａｘ）と許容３Ｄ量（最大視差（Ｄｍａｘ）−最小視差（Ｄｍｉｎ
））とが、家又は映画館などでの立体視を人体への影響が小さい立体視にするための許容範囲内であって、ディスプレイサイズ、画像解像度、推定視距離などの特定の視聴条件に基づいて算出されるように、また、このような視聴パラメータを撮影装置に入力することにより今後の撮影に対するデフォルト設定として前記Ｄｍｉｎと前記Ｄｍａｘとが取得されるように、前記許容最大視差と前記許容３Ｄ量とをオフラインで取得し、
ユーザの視聴条件に対応する、撮影前に設定される前記デフォルト設定を選択し、
シーンの実際の最大視差と最小視差とが、デフォルトのＤｍａｘと３Ｄ量（Ｄｍａｘ−Ｄｍｉｎ）とで管理されている範囲内になるように３Ｄカメラのベースライン、輻輳角、及び、ズームを調整することにより、人体への影響が小さい３Ｄコンテンツを撮影し、
人体への影響が小さくかつ良好な効果のある立体視で今後の３Ｄディスプレイでのレンダリング及び３Ｄ消費を行うために、実際のＤｍｉｎとＤｍａｘとその他のカメラパラメータと共に、撮影済み前記３Ｄコンテンツを格納、又は、送出し、
対応する視距離と、撮影及び視聴用のディスプレイサイズと、画像解像度とを用いて、撮影中の立体視に対応する許容Ｄｍａｘと許容３Ｄ量との新たなセットを取得し、
得られたＤｍａｘと３Ｄ量とが、撮影用ディスプレイで快適かつ良好な３Ｄ効果が得られる前記新たなセットの許容範囲内になるように、撮影済み前記３Ｄコンテンツを変換かつ調整し、
撮影処理をチェックできるよう、変換かつ調整された前記３Ｄコンテンツを撮影用ディスプレイに映し出す
撮影方法。
【請求項１０】
３Ｄ特性パラメータを用いて３Ｄ映像又は３Ｄ画像を符号化する符号化装置であって、
３Ｄ入力データから、最小視差（Ｄｍｉｎ）と最大視差（Ｄｍａｘ）とを生成する生成部と、
複数のピクチャにわたる前記Ｄｍｉｎと前記Ｄｍａｘとの変化を分析する分析部と、
前記Ｄｍｉｎと前記Ｄｍａｘとを、１ピクチャの前記Ｄｍｉｎと前記Ｄｍａｘとが次のピクチャのそれぞれの値と異なる場合は、ビデオストリームの対応ピクチャヘッダにそれぞれ書き込み、前記Ｄｍｉｎと前記Ｄｍａｘとが前記複数のピクチャにわたり同じである場合は、ビデオストリームのシーケンスヘッダにそれぞれ書き込む書込部と、
符号化効率を改善又は計算量を減らすために、前記Ｄｍｉｎと前記Ｄｍａｘとを用いて各ピクチャ又はシーケンスを符号化する符号化部と、
前記Ｄｍｉｎと前記Ｄｍａｘと共に、前記符号化ピクチャ又は前記符号化シーケンスをビデオストリームに書き込む書込部とを備える
符号化装置。
【請求項１１】
３Ｄ特性パラメータを用いて３Ｄ映像又は３Ｄ画像を符号化する符号化装置であって、
撮影中に、３Ｄコンテンツに対する任意の方法で最小視差（Ｄｍｉｎ）と最大視差（Ｄｍａｘ）とその他の３Ｄ特性とを取得する取得部と、
前記Ｄｍｉｎ又は前記Ｄｍａｘが前記３Ｄコンテンツに付加されていない場合は、入力された前記３Ｄコンテンツから前記最小視差（Ｄｍｉｎ）と前記最大視差（Ｄｍａｘ）とを算出する算出部と、
各ピクチャにわたり前記Ｄｍｉｎと前記Ｄｍａｘとが同じかどうかを確認する確認部と、
確認結果が真であれば、伝送及び格納するために、ビデオストリームのシーケンスヘッダに前記Ｄｍｉｎと前記Ｄｍａｘと前記その他の３Ｄ特性とを書き込む書込部と、
確認結果が偽であれば、伝送及び格納するために、ビデオストリームのピクチャヘッダ、又は、ＭＰＯ（Ｍｕｌｔｉｐｌｅ  Ｐｉｃｔｕｒｅ  Ｏｒｇａｎｉｚａｔｉｏｎ）というカメラフォーマットなどの静止画のヘッダに前記Ｄｍｉｎと前記Ｄｍａｘと前記その他の３Ｄ特性とを書き込む書込部とを備える
符号化装置。
【請求項１２】
３Ｄ特性パラメータを用いて３Ｄ映像又は３Ｄ画像を復号する復号装置であって、
入力ビデオストリームのヘッダである付加拡張情報（ＳＥＩ：ｓｕｐｐｌｅｍｅｎｔａｒｙ  ｅｎｈａｎｃｅｍｅｎｔ  ｉｎｆｏｒｍａｔｉｏｎ）から、３Ｄ特性パラメータと最小視差（Ｄｍｉｎ）と最大視差（Ｄｍａｘ）とを読み解く読解部と、
入力ビデオストリームのシーケンスヘッダから、３Ｄ特性パラメータと最小視差（Ｄｍｉｎ）と最大視差（Ｄｍａｘ）とを読み解く読解部と、
入力ビデオストリームのピクチャヘッダから、３Ｄ特性パラメータと最小視差（Ｄｍｉｎ）と最大視差（Ｄｍａｘ）とを読み解く読解部と、
読み解いた前記Ｄｍｉｎと前記Ｄｍａｘと前記３Ｄ特性パラメータとを用いて、符号化視差ビューと符号化奥行き画像とを復号する復号部と、
レンダリング及び表示するための対応視聴条件下において、読み解いた前記Ｄｍｉｎと前記Ｄｍａｘと前記３Ｄ特性パラメータとを用いて、復号された視差ビューと奥行き画像とから３Ｄピクチャを作成する作成部とを備える
復号装置。
【請求項１３】
符号化３Ｄストリームを抽出及びレンダリングして端末での人体への影響が小さい立体視を実現する抽出及びレンダリング装置であって、
任意の装置で視聴者の顔を検出してから距離を測定するなど任意の方法で、視聴者からディスプレイまでの距離である視距離を取得する取得部と、
ＴＶのパラメータ設定からのユーザ選択又は自動的に、画像解像度とディスプレイサイズと眼間距離とを取得する取得部と、
入力３Ｄコンテンツストリーム又は入力３Ｄメディアファイルから最小視差（Ｄｍｉｎ）と最大視差（Ｄｍａｘ）とを抽出する抽出部と、
前記最大視差に関連する許容３Ｄ飛び出し量を算出する算出部と、
最大視差と最小視差との差に関連する許容３Ｄ量を算出する算出部と、
抽出された前記Ｄｍａｘ及び（Ｄｍａｘ−Ｄｍｉｎ）がそれぞれ前記許容３Ｄ飛び出し量及び前記３Ｄ量より大きいかどうかを確認する確認部と、
前記確認が真であれば、ユーザインターフェースを介して飛び出し量（Ｄｍａｘ）度合いを調整、３Ｄ量（Ｄｍａｘ−Ｄｍｉｎ）を調整するようユーザにリマインドするリマインド部と、
前記確認が偽であれば、調整せずに３Ｄコンテンツをそのまま３Ｄディスプレイに映し出す映出部とを備える
抽出及びレンダリング装置。
【請求項１４】
符号化３Ｄストリームを抽出及びレンダリングして端末での人体への影響が小さくかつ効果的な立体視を実現する抽出及びレンダリング装置であって、
任意の装置で視聴者の顔を検出してから距離を測定するなど任意の方法で、視聴者からディスプレイまでの距離である視距離を取得する取得部と、
ＴＶのパラメータ設定からのユーザ選択又は自動的に、画像解像度とディスプレイサイズと眼間距離とを取得する取得部と、
入力３Ｄコンテンツストリーム又は入力３Ｄメディアファイルから最小視差（Ｄｍｉｎ）と最大視差（Ｄｍａｘ）とを抽出する抽出部と、
前記最大視差に関連する許容３Ｄ飛び出し量を算出する算出部と、
前記最大視差と前記最小視差との差に関連する許容３Ｄ量を算出する算出部と、
抽出された前記Ｄｍａｘ及び（Ｄｍａｘ−Ｄｍｉｎ）がそれぞれ前記許容３Ｄ飛び出し量及び前記３Ｄ量より大きいかどうかを確認する確認部と、
前記確認が真であれば、新たなＤｍａｘと新たな（Ｄｍａｘ−Ｄｍｉｎ）とが前記許容範囲内になるように前記３Ｄコンテンツを調整する調整部と、
前記確認が偽であれば、調整せずに３Ｄコンテンツをそのまま３Ｄディスプレイに映し
出す映出部とを備える
抽出及びレンダリング装置。
【請求項１５】
３Ｄコンテンツを符号化及び復号して人体への影響が小さくかつ効果的な立体視を実現する符号化及び復号装置であって、
３Ｄ入力データから最小視差（Ｄｍｉｎ）と最大視差（Ｄｍａｘ）とを算出する算出部と、
符号化ビデオストリーム又は符号化画像ファイルに前記Ｄｍｉｎと前記Ｄｍａｘとを埋め込む埋込部と、
前記符号化ビデオストリーム又は前記符号化画像ファイルをストレージに格納する格納部、又は、前記符号化ビデオストリーム又は前記符号化画像ファイルを送出する送出部と、
任意の装置で視聴者の顔を検出してから距離を測定するなど任意の方法で、視聴者からディスプレイまでの距離である視距離を取得する取得部と、
ＴＶのパラメータ設定からのユーザ選択又は自動的に、画像解像度とディスプレイサイズと眼間距離とを取得する取得部と、
入力３Ｄコンテンツストリーム又は入力３Ｄメディアファイルから最小視差（Ｄｍｉｎ）と最大視差（Ｄｍａｘ）とを抽出する抽出部と、
前記最大視差に関連する許容３Ｄ飛び出し量を算出する算出部と、
前記最大視差と前記最小視差との差に関連する許容３Ｄ量を算出する算出部と、
抽出された前記Ｄｍａｘ及び（Ｄｍａｘ−Ｄｍｉｎ）がそれぞれ前記許容３Ｄ飛び出し量及び前記３Ｄ量より大きいかどうかを確認する確認部と、
前記確認が真であれば、ユーザインターフェースを介して飛び出し量（Ｄｍａｘ）度合いを調整し、３Ｄ量（Ｄｍａｘ−Ｄｍｉｎ）を調整するようユーザにリマインドするリマインド部と、
前記確認が偽であれば、調整せずに３Ｄコンテンツをそのまま３Ｄディスプレイに映し出す映出部とを備える
符号化及び復号装置。
【請求項１６】
３Ｄコンテンツを符号化及び復号して人体への影響が小さくかつ効果的な立体視を実現する符号化及び復号装置であって、
３Ｄ入力データから最小視差（Ｄｍｉｎ）と最大視差（Ｄｍａｘ）とを算出する算出部と、
符号化ビデオストリーム又は符号化画像ファイルに前記Ｄｍｉｎと前記Ｄｍａｘとを埋め込む埋込部と、
前記符号化ビデオストリーム又は前記符号化画像ファイルをストレージに格納する格納部、又は、前記符号化ビデオストリーム又は前記符号化画像ファイルを送出する送出部と、
任意の装置で視聴者の顔を検出してから距離を測定するなど任意の方法で、視聴者からディスプレイまでの距離である視距離を取得する取得部と、
ＴＶのパラメータ設定からのユーザ選択又は自動的に、画像解像度とディスプレイサイズと眼間距離とを取得する取得部と、
入力３Ｄコンテンツストリーム又は入力３Ｄメディアファイルから最小視差（Ｄｍｉｎ）と最大視差（Ｄｍａｘ）とを抽出する抽出部と、
前記最大視差に関連する許容３Ｄ飛び出し量を算出する算出部と、
前記最大視差と前記最小視差との差に関連する許容３Ｄ量を算出する算出部と、
抽出された前記Ｄｍａｘ及び（Ｄｍａｘ−Ｄｍｉｎ）がそれぞれ前記許容３Ｄ飛び出し量及び前記３Ｄ量より大きいかどうかを確認する確認部と、
前記確認が真であれば、新たなＤｍａｘと新たな（Ｄｍａｘ−Ｄｍｉｎ）とが前記許容範囲内になるように前記３Ｄコンテンツを調整する調整部と、
前記確認が偽であれば、調整せずに３Ｄコンテンツをそのまま３Ｄディスプレイに映し出す映出部とを備える
符号化及び復号装置。
【請求項１７】
３Ｄフォトスライドショーをアンパッキングして整える装置であって、
任意の装置で視聴者の顔を検出してから距離を測定するなど任意の方法で、視聴者からディスプレイまでの距離である視距離を取得する取得部と、
ＴＶのパラメータ設定からのユーザ選択又は自動的に、画像解像度とディスプレイサイズと眼間距離とを取得する取得部と、
前記最大視差に関連する許容３Ｄ飛び出し量を算出する算出部と、
前記最大視差と前記最小視差との差に関連する許容３Ｄ量を算出する算出部と、
ＭＰＯ（Ｍｕｌｔｉｐｌｅ  Ｐｉｃｔｕｒｅ  ｆｏｒｍａｔ）パッケージフォーマットであるファイルフォーマットの複数の写真を１枚ずつ入力する入力部と、
前記３Ｄフォトファイルをアンパッキングしてから、写真ごとに、埋め込まれた、最小視差（Ｄｍｉｎ）と最大視差（Ｄｍａｘ）とを含むカメラパラメータを抽出するアンパッキング部と、
抽出された前記ＤｍｉｎとＤｍａｘとを用いて、アンパッキングされた３Ｄフォトファイルを復号してピクチャの組を生成する復号部と、
写真ごとに、抽出された前記Ｄｍｉｎと前記Ｄｍａｘとに基づき、許容最大視差と許容３Ｄ量とで管理されている許容範囲内にある一定値の（Ｄｍａｘ−Ｄｍｉｎ）と一定値のＤｍａｘとを中央値として設定する設定部と、
前記複数の３Ｄ写真をそれぞれ、それらの新たな（Ｄｍｉｎ−Ｄｍａｘ）と新たなＤｍａｘとが前記一定値の中央値と同じ又は近い値になるように調整する調整部とを備える
装置。
【請求項１８】
人体への影響が小さくかつ良好な効果のある３Ｄコンテンツを撮影する撮影装置であって、
許容最大視差（Ｄｍａｘ）と許容３Ｄ量（最大視差（Ｄｍａｘ）−最小視差（Ｄｍｉｎ））とが、家又は映画館などでの立体視を人体への影響が小さい立体視にするための許容範囲内であって、ディスプレイサイズ、画像解像度、推定視距離などの特定の視聴条件に基づいて算出されるように、また、このような視聴パラメータを撮影装置に入力することにより今後の撮影に対するデフォルト設定として前記Ｄｍｉｎと前記Ｄｍａｘとが取得されるように、前記許容最大視差と前記許容３Ｄ量とをオフラインで取得する取得部と、
ユーザの視聴条件に対応する、撮影前に設定される前記デフォルト設定を選択する選択部と、
シーンの実際の最大視差と最小視差とが、デフォルトのＤｍａｘと３Ｄ量（Ｄｍａｘ−Ｄｍｉｎ）とで管理されている範囲内になるように３Ｄカメラのベースライン、輻輳角、及び、ズームを調整することにより、人体への影響が小さい３Ｄコンテンツを撮影する撮影部と、
人体への影響が小さくかつ良好な効果のある立体視で今後の３Ｄディスプレイでのレンダリング及び３Ｄ消費を行うために、実際のＤｍｉｎとＤｍａｘとその他のカメラパラメータと共に、撮影済み前記３Ｄコンテンツを格納する格納部、又は、送出する送出部と、
対応する視距離と、撮影及び視聴用のディスプレイサイズと、画像解像度とを用いて、撮影中の立体視に対応する許容Ｄｍａｘと許容３Ｄ量との新たなセットを取得する取得部と、
得られたＤｍａｘと３Ｄ量とが、撮影用ディスプレイで快適かつ良好な３Ｄ効果が得られる前記新たなセットの許容範囲内になるように、撮影済み前記３Ｄコンテンツを変換かつ調整する変換調整部と、
撮影処理をチェックできるよう、変換かつ調整された前記３Ｄコンテンツを撮影用ディスプレイに映し出す映出部とを備える
撮影装置。